(57)【要約】【課題】適正な輝度調整の校正作業を行うことが可能な画像表示装置及び輝度調整方法を提供する。【解決手段】画像表示装置１は、表示部１２の輝度調整を行う場合、医用画像が表示される表示位置を定めたレイアウト情報に基づいて、所定の位置にテストチャートを表示させて輝度測定を行い、測定された輝度値に基づいてレイアウト毎に階調を補正するためのＬＵＴを作成する。そして、作成されたＬＵＴによりテストチャートを変換して、所定のレイアウトで表示部１２に表示させると共に、ＬＵＴで変換されたテストチャートから測定されると期待される輝度値（期待値）をテストチャートに対応させて表示部１２に表示させる。【選択図】図１
2005131264.tif 000002
【特許請求の範囲】
【請求項１】
医用画像を表示する表示手段の輝度調整方法であって、
複数のテスト画像を表示手段に表示させる工程と、
前記表示手段に表示された複数のテスト画像に基づいて、前記表示手段の階調特性を調整する工程と、
所定の駆動レベルで表示されるテスト画像から測定されると期待される輝度値を算出する工程と、
前記テスト画像を所定の駆動レベルで表示させると共に、前記算出された輝度値を前記表示手段に表示させる工程と、
を含むことを特徴とする輝度調整方法。
【請求項２】
医用画像を表示する表示手段の輝度調整方法であって、
医用画像の表示位置を設定するレイアウト情報を記憶する工程と、
前記レイアウト情報に応じた医用画像の表示位置に複数のテスト画像を表示させる工程と、
前記表示された複数のテスト画像に基づいて、前記表示手段の階調特性を調整する工程と、
所定の駆動レベルで表示されるテスト画像から測定されると期待される輝度値を算出する工程と、
前記テスト画像を前記レイアウト情報に応じた表示位置に所定の駆動レベルで表示させると共に、前記算出された輝度値を表示させる工程と、
を含むことを特徴とする輝度調整方法。
【発明の詳細な説明】
【技術分野】
【０００１】
本発明は、表示手段の輝度調整を行う際に、輝度調整及び校正作業のための表示画面を形成する輝度調整方法に関するものである。
【背景技術】
【０００２】
近年、医療機関で放射線画像等、患者を撮影して得られた医用画像のデジタル化が実現されており、医用画像を読影する際には、フィルム等の記録媒体に画像データを出力したハードコピーを使用する他、ＣＲＴ（Cathode Ray Tube）やＬＣＤ（Liquid Crystal Display）等の表示手段に画像データを表示したソフトコピーを用いることが一般的になってきた。
【０００３】
最近では、医療機器の充実により、病院内で複数の読影用の画像表示装置が備えられることが多くなっているが、同じ画像を出力する場合でも出力先ではそれぞれ出力特性が異なるため、各出力先で画像の再現性が異なってくる。再現された画像が異なることは、患者を診断するうえで好ましくなく、例えば同一患者の胸部画像を複数の読影用装置で読影する場合には、どの装置を使用しても画像の再現性が同一となることが望まれる。
【０００４】
そこで、フィルム出力装置同士、フィルム出力装置〜表示装置間、表示装置間で同一の画像が同一の階調再現性を有するように画像処理を施す方法が開発されている（例えば、特許文献１参照）。
【０００５】
また、このように画像処理が施された医用画像を複数の画像表示装置に同一の表示態様にて表示させる場合、全ての画像表示装置の階調特性を同一にするように表示手段の輝度調整を行う必要がある。そこで、例えば、病院内の各所に画像表示装置が点在する場合に、画像表示装置が設置される環境に応じて周囲光（室内照明や太陽光）がディスプレイに及ぼす影響を補正する技術が開示されている（例えば、特許文献２参照）。
【特許文献１】特開平９−２６１４７９号公報
【特許文献２】特開平９−１８８０６号公報
【発明の開示】
【発明が解決しようとする課題】
【０００６】
しかしながら、上述した従来の輝度調整方法においては、画像表示装置の輝度調整が適性に行えたか否かを最終的に確認するための校正作業を行う場合、画像表示装置には、輝度調整により補正されたテスト画像を表示するのみであった。すなわち、輝度調整が適性に行えたか否かの判断は、作業者がこのテスト画像を視覚的に確認するのみであり、作業者の感覚に拠るところが多かった。このため、輝度調整の作業に不慣れな作業者や、作業者の体調等により、輝度調整の適否が変動する場合があり、正確な校正作業を行えない場合があった。
【０００７】
また、近年では大画面の表示装置も開発されており、画像の表示位置によっては、室内照明や太陽光等の周囲光の影響を受ける程度が変化するため、それぞれの画像の表示位置に応じて輝度調整を行う必要がある。このような場合、特に子細な輝度調整が行われるため、人間の感覚に基づく校正作業では、正確性に欠けるという問題があった。
【０００８】
本発明の課題は、適正な輝度調整の校正作業を行うことが可能な輝度調整方法を提供することである。
【課題を解決するための手段】
【０００９】
請求項１記載の発明は、
医用画像を表示する表示手段の輝度調整方法であって、
複数のテスト画像を表示手段に表示させる工程と、
前記表示手段に表示された複数のテスト画像に基づいて、前記表示手段の階調特性を調整する工程と、
所定の駆動レベルで表示されるテスト画像から測定されると期待される輝度値を算出する工程と、
前記テスト画像を所定の駆動レベルで表示させると共に、前記算出された輝度値を前記表示手段に表示させる工程と、
を含むことを特徴としている。
【００１０】
請求項２記載の発明は、
医用画像を表示する表示手段の輝度調整方法であって、
医用画像の表示位置を設定するレイアウト情報を記憶する工程と、
前記レイアウト情報に応じた医用画像の表示位置に複数のテスト画像を表示させる工程と、
前記表示された複数のテスト画像に基づいて、前記表示手段の階調特性を調整する工程と、
所定の駆動レベルで表示されるテスト画像から測定されると期待される輝度値を算出する工程と、
前記テスト画像を前記レイアウト情報に応じた表示位置に所定の駆動レベルで表示させると共に、前記算出された輝度値を表示させる工程と、
を含むことを特徴としている。
【発明の効果】
【００１１】
請求項１記載の発明によれば、表示手段に表示される複数のテスト画像に基づいて輝度調整を行った後に、所定の駆動レベルで表示されるテスト画像から測定されると期待される輝度値を算出し、所定の駆動レベルでテスト画像を表示させると共に、算出された輝度値を表示手段に表示させるため、表示手段に表示されたテスト画像の輝度測定結果と、算出された輝度値とを比較して、表示手段の輝度調整が適切に行われた否かを判断することができる。
【００１２】
請求項２記載の発明によれば、医用画像の表示位置に応じて表示手段に表示される複数のテスト画像に基づいて輝度調整を行った後に、所定の駆動レベルで表示されるテスト画像から測定されると期待される輝度値を算出し、前記テスト画像をレイアウト情報に応じた表示位置に所定の駆動レベルで表示させると共に、算出された輝度値を表示手段に表示させるため、医用画像の表示位置に応じて行われる子細な輝度調整についても、当該表示位置に応じて算出される輝度値に基づいて、的確に校正作業を行うことができる。
【発明を実施するための最良の形態】
【００１３】
以下、図１〜図９を参照して本発明を実施するための最良の形態を詳細に説明する。ただし、発明の範囲は、図示例に限定されない。
【００１４】
まず、構成を説明する。
図１に、本実施の形態における画像表示装置１の機能的構成を示す。
図１に示すように、画像表示装置１は、制御部１１、表示部１２、操作部１３、通信部１４、ＲＡＭ（Random Access Memory）１５、記憶部１６等から構成され、各部はバス１７により接続されている。
【００１５】
制御部１１は、ＣＰＵ（Central Processing Unit）、ＲＯＭ（Read Only Memory）等から構成され、ＲＯＭに格納されるシステムプログラム、各種処理プログラム等をＲＡＭ１５に展開して、当該プログラムとの協働により処理動作を統括的に制御する。
【００１６】
具体的に、制御部１１は、記憶部１６に記憶される輝度測定処理プログラム、キャリブレーション処理プログラムを読み出して、後述する輝度測定処理（図３）、キャリブレーション処理（図４）を実行する。この輝度測定処理、キャリブレーション処理を実行するに際して、制御部１１は、指定された画面構成（レイアウト）に基づいてテスト画像（本明細書中、「テストチャート」と記す）を表示部１２の所定領域に表示させ、表示部１２の輝度を測定させる。また、測定結果に基づいて、モニタ特性に基づいた階調特性を補正するための階調補正テーブル（本明細書中、「ＬＵＴ」と呼ぶ）を作成し、作成したＬＵＴによりテストチャートを変換する。そして、変換されたテストチャートから測定されると期待される輝度値を算出し、変換されたテストチャートと、算出された輝度値を併せて表示部１２に表示させる。
【００１７】
表示部１２は、ＣＲＴ、ＬＣＤ等のモニタを備えた表示手段であり、制御部１１から入力される表示信号の指示に従って操作部１３、記憶部１６から入力される表示情報をモニタ上に表示する。例えば、本実施の形態においては、輝度調整を行うためのテストチャートを指定された表示領域に表示する。
【００１８】
操作部１３は、数字キー、文字キー、機能キー等を備えたキーボードや、マウス、表示部１２と一体に構成されるタッチパネル等を備えて構成され、操作されたキーに対応する操作信号を制御部１１に出力する。
【００１９】
通信部１４は、ネットワークインターフェイスカードやモデム等の通信用のインターフェイスを備えて構成される通信手段であり、通信ネットワーク上の外部機器と相互にデータの送受信を行う。例えば、ＬＡＮ上の医用画像生成装置に接続し、生成された医用画像の画像データを受信する。或いは、医用画像データに所見レポート情報等の各種情報を付帯させてサーバに送信することができる。
【００２０】
ＲＡＭ１５は、制御部１１によって実行される各種プログラム及びこれらプログラムに係るデータを一時的に記憶するワークエリアを形成する。
【００２１】
記憶部１６は、プログラムやデータ等があらかじめ記憶されている記録媒体（図示せず）を有しており、この記録媒体は磁気的、光学的記録媒体、若しくは半導体メモリで構成されている。また、この記録媒体は記憶部１６に固定的に設けられるもの、若しくは着脱自在に装着するものであり、システムプログラム、当該システムに対応する各種処理プログラム、及び各種処理プログラムで処理されたデータ等を記憶する。例えば、記憶部１６は、複数の異なる階調からなる輝度測定用のテストチャートの画像データを記憶している。
【００２２】
また、記憶部１６は、表示画面における医用画像や所見レポート等の表示位置及び表示サイズを設定するためのレイアウト情報を記憶するレイアウトテーブル１６１を格納している。図２を参照して、レイアウトテーブル１６１について説明する。
【００２３】
図２は、レイアウトテーブル１６１のデータ構成例を示す図である。図２に示すように、レイアウトテーブル１６１には、各レイアウトを個別に識別するための識別情報（本明細書中、「レイアウトＩＤ」と記す）と、そのレイアウトＩＤで設定される画像表示領域、その他所見レポート情報やサムネイル画像等の表示位置及び表示サイズ等の領域設定情報とが対応付けて格納されている。
【００２４】
例えば、レイアウト１には、画面を左右に分割し、その左側に画像表示領域ｄ１、右側上部に所見レポートの表示領域ｒ１の表示位置及び表示サイズが設定されている。また、レイアウト２は同一患者の医用画像を表示する際に適用されるものであり、画面を左右に分割し、左側には現在画像を表示する表示領域ｄ２、右側には過去画像を表示する表示領域ｄ３の表示位置及び表示サイズが設定されている。さらに、レイアウト３は、ＣＡＤによる異常陰影候補の検出結果（以下、ＣＡＤ結果という。）を表示するためのレイアウトであり、画面中央に医用画像の画像表示領域ｄ４、その左側にサムネイル画像の画像表示領域ｄ５、そして医用画像の下部にＣＡＤ結果を示す文字データの表示領域ｒ２の表示位置及び表示サイズが設定されている。
【００２５】
次に、本実施の形態における動作を説明する。
動作説明の前提として、以下のフローチャートに記述されている各処理を実現するためのプログラムは、コンピュータが読み取り可能なプログラムコードの形態で記憶部１６に格納されており、制御部１１は、当該プログラムコードに従った動作を逐次実行する。また、制御部１１は、伝送媒体を介して外部から供給されるプログラム及びデータを利用して、本実施の形態特有の動作を逐次実行することも可能である。
【００２６】
図３は、キャリブレーション処理を行う前提として、表示部１２に表示させたテストチャートの輝度を測定する輝度測定処理のフローチャートを示す図である。図３に示すように、操作部１３を介して、輝度測定を行う指示が入力され（ステップＳ１）、輝度測定のためのレイアウトが選択されると（ステップＳ２）、制御部１１は、レイアウトテーブル１６１から選択されたレイアウト情報を取得する（ステップＳ３）。
【００２７】
次いで、記憶部１６からテストチャートを取得して、レイアウト情報に応じて指定される表示位置にテストチャートを表示させる（ステップＳ４）。図５〜図６を参照して、表示部１２に表示されるテストチャートについて説明する。
【００２８】
図５は、レイアウトテーブル１６１に格納されるレイアウト情報のうちレイアウト１が選択された場合に、表示部１２に表示される表示画面例を示す図である。図５（ａ）に示すように、表示画面１２１には、３階調ステップａ１〜ａ３を有するグレースケールのテストチャートが同一画面に表示されている。作業者は、表示部１２に表示された３階調のテストチャートをそれぞれ輝度計により測定する。
【００２９】
図５（ｂ）は、画面を切り替えることにより複数の異なる階調のテストチャートを表示する表示画面１２２ａ〜１２２ｃを示す図である。図５（ｂ）に示すように、例えば、低濃度の階調ステップａ１を医用画像の表示領域全体に表示させ、階調ステップａ１における輝度が測定された後、指示に応じて次の階調ステップａ２を画像表示領域全体に表示させる。このように、画像表示領域全体に階調ステップａ１〜ａ３を順に切り換えて表示させることとしてもよい。
【００３０】
図６（ａ）は、レイアウト２が選択された場合に、表示部１２に表示される表示画面１２３を示す図である。図６（ａ）に示すように、レイアウト２には、現在画像と過去画像の２つの医用画像の表示位置が設定されているので、対応する表示位置にそれぞれ３階調ステップａ１〜ａ３のテストチャートが表示され、別個に輝度測定が行われる。
【００３１】
図６（ｂ）は、レイアウト３が選択された場合に、表示部１２に表示される表示画面１２４を示す図である。図６（ｂ）に示すように、レイアウト３に対応する医用画像の表示位置には３階調ステップａ１〜ａ３のテストチャートが表示され、輝度測定が行われる。
【００３２】
なお、図５〜図６に示したテストチャートの表示画面例は、一例でありこれに限らない。例えば、階調ステップ数を多くして補正精度を向上させることとしてもよい。
【００３３】
図３に戻り、表示部１２の所定の表示位置にテストチャートが表示されると（ステップＳ４）、表示されたテストチャートの階調毎に輝度測定が行われる（ステップＳ５）。そして、輝度測定の終了指示が入力された場合（ステップＳ６）、本輝度測定処理を終了する。また、輝度測定を終了する指示が入力されない場合（ステップＳ６；ＮＯ）、ステップＳ１に移行して、上述した処理を繰り返して実行する。
【００３４】
次に、輝度測定処理において測定された輝度値に基づいてＬＵＴを作成し、表示部１２のキャリブレーションを行うキャリブレーション処理について説明する。図４は、制御部１１により実行されるキャリブレーション処理を示すフローチャートである。図４に示すように、制御部１１は、表示部１２にＬＵＴ作成画面（図示せず）を表示させて、測定した輝度値を入力させる（ステップＳ１１）。
【００３５】
次いで、制御部１１は、入力された輝度値に基づいて、表示部１２の階調を補正するためのＬＵＴを作成して、輝度調整を行う（ステップＳ１２）。図９を参照して、輝度調整の方法について説明する。まず、テストチャートの各階調ステップに対して測定された輝度値をそれぞれプロットして表示特性曲線を求める。ここで、図９（ａ）に示すように、求められた表示特性曲線ｌ１が線形性である場合、ＬＵＴを作成せずに、輝度ボリュームを調整することにより、輝度調整を行う。これにより、図９（ａ）に示す、目標階調曲線ｌ２が実現される。
【００３６】
また、図９（ｂ）に示すように、求められた表示特性曲線ｌ３が非線形性である場合、まず、輝度ボリュームを調整することにより表示特性曲線ｌ４を得る。次いで、この表示特性曲線ｌ４から目標階調曲線ｌ５に対する逆特性を有する曲線を求める。これにより、図９（ｂ）に示すＬＵＴｌ６が求められる。このＬＵＴ６は、入力画像信号と表示部１２の駆動レベルの関係を定めるものであり、ＬＵＴｌ６により、目標階調曲線ｌ５が実現される。ここで、図９（ａ）と図９（ｂ）に示す目標階調曲線ｌ２，ｌ５に基づいて算出される期待値が同一であるとすると、図９（ｂ）に示す表示部の駆動レベルは新レベル(1)〜(3)となり、図９（ｃ）の横矢印で示すように、図９（ａ）に示す表示部の駆動レベル(1)〜(3)よりも低くなる。なお、図９に示すレベル(1)〜(3)は、例えば、上述した図５〜図６の階調ステップａ１〜ａ３に対応しているものとする。
【００３７】
図４に戻り、作成されたＬＵＴは、輝度測定が行われたレイアウトＩＤに対応付けて記憶部１６に格納される（ステップＳ１３）。すなわち、本実施の形態においては、医用画像が表示される位置に応じて輝度調整を行うため、設定されるレイアウト毎にＬＵＴが作成される。
【００３８】
続いて、制御部１１は、記憶部１６からテストチャートを取得して、作成したＬＵＴによりテストチャートを変換する（ステップＳ１４）。また、ＬＵＴで変換されたテストチャートが所定の駆動レベルにて表示部１２に表示された場合に、当該テストチャートの輝度測定結果として期待される輝度値（以下、「期待値」と記す）を、テストチャートの階調毎に算出する（ステップＳ１５）。
【００３９】
そして、制御部１１は、ＬＵＴで変換されたテストチャートと、テストチャートの階調毎に算出された期待値をそれぞれ対応させ、指定されたレイアウトに応じて所定の駆動レベルにて表示部１２に表示させる（ステップＳ１６）。図７〜図８を参照して、表示部１２に表示されるテストチャート及び期待値について説明する。
【００４０】
図７（ａ）は、レイアウト１の表示画面において、テストチャート及び期待値が表示された場合の表示画面１２５を示す図である。図７（ａ）に示すように、医用画像の表示位置には、レイアウト１用のＬＵＴで変換されたテストチャートが表示され、テストチャートの各階調に対応する期待値がそれぞれ右側に表示されている。具体的に、階調ステップａ１の期待値は、１３０[cd/m2]であり、階調ステップａ２の期待値は、８０[cd/m2]であり、階調ステップａ３の期待値は、１０[cd/m2]である。また、図７（ｂ）は、画面を切り替えることにより複数の異なる階調のテストチャートを表示する表示画面１２６ａ〜１２６ｃに、各階調ステップａ１〜ａ３に対応する期待値が表示された例を示す図である。
【００４１】
図８（ａ）は、レイアウト２の表示画面において、テストチャート及び期待値が表示された場合の表示画面１２５を示す図である。図８（ａ）に示すように、現在画像と過去画像が表示される位置に、レイアウト２用のＬＵＴで変換されたテストチャートが表示され、テストチャートの各階調に対応する期待値がそれぞれ右側に表示されている。図８（ｂ）は、レイアウト３の表示画面１２８において、レイアウト３用のＬＵＴで変換されたテストチャートと、テストチャートの各階調に対応する期待値がそれぞれ表示された図を示している。
【００４２】
図４に戻り、表示部１２にＬＵＴで変換されたテストチャート及び期待値が表示されると（ステップＳ１６）、作業者により、表示されたテストチャートの輝度が測定され、測定された輝度値と、表示されている期待値とを比較して、輝度調整の校正作業が行われる。そして、輝度調整が正確に行われていると確認できた場合、操作部１３を介して処理を終了する指示が入力され（ステップＳ１７；ＹＥＳ）、本キャリブレーション処理が終了される。また、処理をやり直す指示が入力された場合（ステップＳ１７；ＮＯ）、ステップＳ１１に移行して、上述した処理を繰り返して実行する。
【００４３】
以上のように、本実施の形態によれば、表示部１２の輝度調整を行う場合、医用画像が表示される表示位置を定めたレイアウト情報に基づいて、所定の位置にテストチャートを表示させて輝度測定を行い、測定された輝度値に基づいてレイアウト毎に階調を補正するためのＬＵＴを作成する。そして、作成されたＬＵＴによりテストチャートを変換して、所定のレイアウトで表示部１２に表示させると共に、ＬＵＴで変換されたテストチャートから測定されると期待される輝度値（期待値）をテストチャートに対応させて表示部１２に表示させる。
【００４４】
したがって、表示部１２の輝度調整を行う作業者は、輝度調整が適性に行われたか否かを確認するための校正作業を行う際に、表示されたテストチャートを輝度計により測定し、得られた測定結果と表示された期待値とを比較して、適性な輝度調整が行えたか否かを容易かつ正確に判断することができる。これにより、作業者の感覚に拠らず、正確な数値に基づいて、校正作業を行うことができるため、輝度調整が正確に行われていない場合は、速やかに輝度調整をやり直すことができ、適性な輝度調整を担保することができる。この結果、最適な輝度調整が行われた表示部１２にて、適切な階調の医用画像を表示して読影を行うことができる。
【００４５】
また、医用画像の表示位置に応じて階調を補正するためのＬＵＴによりテストチャートを変換し、所定のレイアウトにて当該テストチャートを表示させる共に、輝度値を表示させるため、医用画像が表示されるレイアウト毎に校正作業を行うことができる。これにより、画面サイズや画面内の表示位置に応じて行われる子細な輝度調整についても、レイアウトに応じて的確に校正作業を行うことができる。
【００４６】
さらに、テストチャートの期待値をテストチャートの近傍に表示させることにより、作業者は、容易かつ正確に各階調に対応する期待値を把握することができる。或いは、テストチャート内部ではなく、テストチャートの外部近傍に期待値を表示させることにより、テストチャートの輝度測定を行う際に、表示された期待値により輝度値に誤差がでてしまうことがない。これにより、正確な校正作業を行うことができる。
【００４７】
なお、上述の実施の形態における記述は、本発明に係る好適な画像表示装置１の一例であり、これに限定されるものではない。例えば、本実施の形態においては、テストチャートとして３種の異なる階調のグレースケールを使用する場合を例として説明したが、テストチャートの階調はこれに限らない。また、テストチャートから測定されると期待される輝度値を算出し、算出された輝度値を表示する構成としたが、表示部１２に表示されるテストチャートの濃度値を算出し、当該濃度値を期待値として表示する構成であってもよい。
【００４８】
また、本実施の形態においては、表示部１２の輝度調整を行う際に、ＬＵＴを作成し、当該ＬＵＴに基づいて期待される輝度値を算出して、テストチャートと共に期待値を表示する場合を例として説明を行ったが、表示部１２の輝度測定結果から得られた表示特性曲線が線形性である場合、輝度ボリュームを調整することにより、輝度調整を行うことも可能である。したがって、算出される輝度値は、所定の駆動レベルにてテストチャートが表示部１２に表示された場合に測定されると期待される輝度値が駆動レベル毎に算出されるものとする。
【００４９】
さらに、表示部１２は、ＣＲＴやＬＣＤ等である場合を例として説明したが、ＥＬＤ（Electro Luminescent Display）、ＰＤＰ（Plasma Display Panel）等により構成されていてもよい。また、本実施の形態における画像表示装置１は、医用画像を表示するものとして説明を行ったが、表示される画像は医用画像に限定されるものではなく、種々の画像を表示する画像表示装置において適用されてもよい。
【００５０】
その他、本実施の形態における画像表示装置を構成する細部構成、及び細部動作に関しても、本発明の趣旨を逸脱することのない範囲で適宜変更可能である。
【図面の簡単な説明】
【００５１】
【図１】本実施の形態における画像表示装置１の機能的構成を示す図である。
【図２】レイアウト情報を格納するためのレイアウトテーブル１６１のデータ構成例を示す図である。
【図３】図１の制御部１１により実行される輝度測定処理を示すフローチャートである。
【図４】図１の制御部１１により実行されるキャリブレーション処理を示すフローチャートである。
【図５】（ａ）レイアウト１におけるテストチャートの表示例を示す図である。（ｂ）レイアウト１における他のテストチャートの表示例を示す図である。
【図６】（ａ）レイアウト２におけるテストチャートの表示例を示す図である。（ｂ）レイアウト３におけるテストチャートの表示例を示す図である。
【図７】（ａ）レイアウト１におけるテストチャート及び期待値の表示例を示す図である。（ｂ）レイアウト１における他のテストチャート及び期待値の表示例を示す図である。
【図８】（ａ）レイアウト２におけるテストチャート及び期待値の表示例を示す図である。（ｂ）レイアウト３におけるテストチャート及び期待値の表示例を示す図である。
【図９】表示部１２の輝度調整方法を説明する図である。
【符号の説明】
【００５２】
１    画像表示装置
１１    制御部
１２    表示部
１３    操作部
１４    通信部
１５    ＲＡＭ
１６    記憶部
１６１    レイアウトテーブル
１７    バス
【図１】
2005131264.tif 000003
【図２】
2005131264.tif 000004
【図３】
2005131264.tif 000005
【図４】
2005131264.tif 000006
【図５】
2005131264.tif 000007
【図６】
2005131264.tif 000008
【図７】
2005131264.tif 000009
【図８】
2005131264.tif 000010
【図９】
2005131264.tif 000011